(57)【特許請求の範囲】
【請求項１】
左右一対の脚体と、当該脚体に支持される座と、前記脚体に接続されるテーブルユニットとを備える椅子であって、
前記テーブルユニットは、
前記一方の脚体の下部から当該脚体の前方に向けて張り出す張出部と、
前記張出部に設けられると共に床に対して接地する接地部と、
前記張出部に固定されると共に前記座の上部まで延設されるテーブル支持部と、
前記テーブル支持部によって前記座の上方にて支持されるテーブル天板と
を備え、
前記張出部は、
前記接地部が設けられると共に、前記接地部の設置位置を最下方として左右方向に延設される第１湾曲部と、
前記第１湾曲部に対して屈曲することなく連続的に接続されると共に前記第１湾曲部と前記脚体とを接続する第２湾曲部と
を備える
ことを特徴とする椅子。
【請求項２】
前記第１湾曲部は、椅子正面側から見て、前記テーブルユニットが接続される前記脚体よりも椅子内側に膨出されていることを特徴とする請求項１記載の椅子。
【請求項３】
前記テーブル支持部は、
前記テーブル天板を支持するテーブル支持杆と、
前記テーブル支持杆に設けられると共に前記テーブル天板を回動可能とするヒンジと、  端部が前記テーブル支持杆に接続されかつ途中部位が前記テーブル支持杆に沿って設けられると共に、天板面が水平となる水平姿勢の前記テーブル天板を下方から支持する受フレームと
を備えることを特徴とする請求項１または２記載の椅子。
【請求項４】
左右一対の脚体と、当該脚体に支持される座と、前記脚体に接続されるテーブルユニットとを備える椅子であって、
前記テーブルユニットは、
前記一方の脚体の下部から当該脚体の前方に向けて張り出す張出部と、
前記張出部に設けられると共に床に対して接地する接地部と、
前記張出部に固定されると共に前記座の上部まで延設されるテーブル支持部と、
前記テーブル支持部によって前記座の上方にて支持されるテーブル天板と
を備え、
前記脚体が、椅子正面側から見て、前記座よりも椅子外側に設けられる後脚及び当該後脚よりも椅子内側に設けられる前脚を有し、
前記テーブルユニットが、椅子正面側から見て、前記脚体よりも椅子外側に設けられ、前後方向に向く軸芯を中心として前記テーブル天板が回動可能とされており、
上方に他の椅子を積み重ね可能とされている
ことを特徴とする椅子。
【発明の詳細な説明】
【技術分野】
【０００１】
本発明は、椅子に関するものである。
【背景技術】
【０００２】
例えば特許文献１には、収納する際に上下方向に積み重ねられる椅子に対して、テーブルユニットが取り付けられた構成が開示されている。この椅子は、上下に積み重ねることを可能とするために、脚体の側方に対してテーブル支持杆を設け、このテーブル支持杆に対してテーブル天板が回動可能に取り付けられている。このような椅子によれば、テーブルユニットを取り外すことなく収納時には積み重ねることによってコンパクトに収容が可能となり、また使用時にはテーブル天板を使用してメモへの書き込み等が可能となる。
【先行技術文献】
【特許文献】
【０００３】
【特許文献１】特許第２７３８９０７号公報
【発明の概要】
【発明が解決しようとする課題】
【０００４】
しかしながら、特許文献１に示す椅子においては、テーブル支持杆が脚体及び背凭れに固定されているものの、脚体から大きく側方に張り出している。このため、テーブル支持杆が、脚体及び背凭れによって片持ち支持されている状態となる。このようなテーブル支持杆に支持されたテーブル天板において書き物を行おうとすると、着座者の手の重量や筆圧等によってテーブル支持杆が撓み、テーブル天板が不安定となる場合がある。なお、このような問題は、上下に積み重ねることが可能な椅子に限られたものではなく、脚体に対して接続されるテーブルユニットを有する椅子の全般に生じるものである。
【０００５】
本発明は、上述する問題点に鑑みてなされたもので、テーブルユニットが脚体に接続された椅子において、書き物等の際にもテーブル天板を安定させることを目的とする。
【課題を解決するための手段】
【０００６】
本発明は、上記課題を解決するための手段として、以下の構成を採用する。
【０００７】
第１の発明は、左右一対の脚体と、当該脚体に支持される座と、上記脚体に接続されるテーブルユニットとを備える椅子であって、上記テーブルユニットが、上記一方の脚体の下部から当該脚体の前方に向けて張り出す張出部と、上記張出部に設けられると共に床に対して接地する接地部と、上記張出部に固定されると共に上記座の上部まで延設されるテーブル支持部と、上記テーブル支持部によって上記座の上方にて支持されるテーブル天板とを備えるという構成を採用する。
【０００８】
本発明においては、テーブルユニットの張出部に対して、床と接地する接地部が設けられている。このような本発明によれば、着座者がテーブル天板において手を載置したり書き物を行ったりするときに、テーブル天板に作用する荷重が接地部を通じて床に伝達される。このため、テーブル天板を安定させることができる。
【０００９】
さらに、本発明においては、上記接地部が、脚体から前方に張り出した張出部に設けられている。よって、張出部を設けない場合と比較して床との接地箇所を前方に配置することができる。通常、テーブル天板で書き物等を行う場合には、上方から見て作業者の手が脚体よりも前方に位置することになるため、テーブル天板の前方に荷重が作用する。このとき、テーブル天板が脚体より前方の接地部によって支持されれば接地点がテーブル天板の前方に近づきテーブル天板は安定する。本発明では、脚体よりも前方に張り出した張出部に接地部が設けられているため、テーブル天板をより安定させることが可能となる。
【００１０】
第２の発明は、上記第１の発明において、上記張出部が、上記接地部が設けられると共に、上記接地部の設置位置を最下方として左右方向に延設される第１湾曲部と、上記第１湾曲部に対して屈曲することなく連続的に接続されると共に上記第１湾曲部と上記脚体とを接続する第２湾曲部とを備えるという構成を採用する。
【００１１】
このような本発明によれば、張出部が、第１湾曲部と第２湾曲部とから構成されている。このため、張出部において屈曲する部位を減少あるいは無くすことができ、張出部の一部に局所的に大きな応力が作用することを防止することができる。
【００１２】
第３の発明は、上記第２の発明において、上記第１湾曲部が、椅子正面側から見て、上記テーブルユニットが接続される上記脚体よりも椅子内側に膨出されているという構成を採用する。
【００１３】
このような本発明によれば、椅子正面側から見た第１湾曲部の水平方向の幅を大きく確保することができ、第１湾曲部の曲率半径を大きく取ることが可能となる。このため、第１湾曲部のカーブが緩やかとなり、第１湾曲部に対して局所的に大きな応力が作用することをより防止することができる。
【００１４】
第４の発明は、上記第１〜第３いずれかの発明において、上記テーブル支持部が、上記テーブル天板を支持するテーブル支持杆と、上記テーブル支持杆に設けられると共に上記テーブル天板を回動可能とするヒンジと、端部が上記テーブル支持杆に接続されかつ途中部位が上記テーブル支持杆に沿って設けられると共に、天板面が水平となる水平姿勢の上記テーブル天板を下方から支持する受フレームとを備えるという構成を採用する。
【００１５】
このような本発明によれば、テーブル天板が水平姿勢である場合に、テーブル支持杆と受フレームの途中部位との左右方向に離間して配置される２つの箇所によって支持されることになる。したがって、テーブル天板をより安定させることが可能となる。
【００１６】
第５の発明は、上記第１〜第４いずれかの発明において、上記脚体が、椅子正面側から見て、上記座よりも椅子外側に設けられる後脚及び当該後脚よりも椅子内側に設けられる前脚を有し、上記テーブルユニットが、椅子正面側から見て、上記脚体よりも椅子外側に設けられ、前後方向に向く軸芯を中心として上記テーブル天板が回動可能とされており、上方に他の椅子を積み重ね可能とされているという構成を採用する。
【００１７】
このような本発明によれば、テーブル天板を回動させて立ち上げると、脚体が座よりも椅子外側に設けられる後脚及び当該後脚よりも椅子内側に設けられる前脚を有し、さらにテーブルユニットが脚体よりも椅子外側に設けられているため、複数の椅子を上下に積み重ねることが可能となる。したがって、本発明の椅子によれば、複数の椅子を積み重ねることによってコンパクトに収容することが可能となる。
【発明の効果】
【００１８】
本発明によれば、テーブルユニットが脚体に接続された椅子において、書き物等の際にもテーブル天板を安定させることが可能となり、作業者がテーブル天板をより快適に使用することが可能となる。
【図面の簡単な説明】
【００１９】
【図１】本発明の一実施形態における椅子の構成を示す斜視図であり、（ａ）がテーブル天板を水平姿勢とした状態を示し、（ｂ）がテーブル天板を起立姿勢とした状態を示す。
【図２】本発明の一実施形態における椅子の正面図である。
【図３】本発明の一実施形態における椅子の下面図である。
【図４】本発明の一実施形態における椅子が備える張出部を含む図２の拡大図である。
【図５】本発明の一実施形態における椅子が積み重ねられた状態を示す斜視図である。
【発明を実施するための形態】
【００２０】
以下、図面を参照して、本発明に係る椅子の一実施形態について説明する。なお、以下の図面において、各部材を認識可能な大きさとするために、各部材の縮尺を適宜変更している。また、以下の説明における前後上下左右の方向は、着座者から見た方向を示している。
【００２１】
図１は、本実施形態の椅子１の構成を示す斜視図であり、（ａ）がテーブル天板５ｅを水平姿勢とした状態を示し、（ｂ）がテーブル天板５ｅを起立姿勢とした状態を示している。また、図２は、本実施形態の椅子１の正面図である。また、図３は、本実施形態の椅子１の下面図である。これらの図に示すように、本実施形態の椅子１は、支持構造体２と、座３と、背凭れ４と、テーブルユニット５とを備えている。
【００２２】
支持構造体２は、左右一対の脚体２ａと、前側連結杆２ｂ（図３参照）と、後側連結杆２ｃ（図３参照）とを備えている。脚体２ａは、１本の金属製のパイプ材が側方視において略台形に成型されることによって形成されている。図１に示すように、このような脚体２ａは、座３の下面側に前後方向に延在する上側杆２ａ１（図３参照）と、前方において略鉛直方向に立設される前脚２ａ２と、上側杆２ａ１の下方において前後に延設する共に床に接地される接地杆２ａ３と、前脚２ａ２の後方において立設される後脚２ａ４と、接地杆２ａ３に嵌合されるキャップ２ａ５とを備えている。脚体２ａは、これらの上側杆２ａ１、前脚２ａ２、接地杆２ａ３及び後脚２ａ４が、この順に一体的に連結した形状を有している。
【００２３】
本実施形態の椅子１は、２つの脚体２ａを有しているため、前脚２ａ２及び後脚２ａ４も２つずつ設けられている。これらの前脚２ａ２は、図２に示すように、座３の真下に鉛直に延設されている。また後脚２ａ４は、図２に示すように、前脚２ａ２よりも外側に配置され、座３から僅かに側方に離間した位置に鉛直に延設されている。すなわち、本実施形態の椅子１は、正面側から見て、座３よりも外側に設けられる後脚２ａ４及び当該後脚２ａ４よりも内側に設けられる前脚２ａ２を有している。
【００２４】
前側連結杆２ｂは、２つ脚体２ａの上側杆２ａ１と前脚２ａ２との連結箇所同士を連結しており、水平に左右方向に延設されている。後側連結杆２ｃは、前側連結杆２ｂと略同一の高さにおいて、２つ脚体２ａの後脚２ａ４同士を連結しており、水平に左右方向に延設されている。これらの前側連結杆２ｂと、後側連結杆２ｃと、２つの上側杆２ａ１とによって座３が下方から支持されている。
【００２５】
座３は、上述のように、前側連結杆２ｂと、後側連結杆２ｃと、２つの上側杆２ａ１とによって下方から支持され、座面が略水平となるように姿勢設定されている。このような座３は、前側連結杆２ｂと、後側連結杆２ｃと、２つの上側杆２ａ１とに固定される枠部３ａと、当該枠部３ａに囲まれる領域に設けられる可撓性を有すると共に主として着座者を下方から支えるメッシュ部３ｂとを備えている。
【００２６】
背凭れ４は、２つの後脚２ａ４の上端部に固定されることにより支持され、支持面が略前方を向くように姿勢設定されている。このような背凭れ４は、後脚２ａ４に固定される枠部４ａと、当該枠部４ａに囲まれる領域に設けられる可撓性を有すると共に主として着座者を背後から支えるメッシュ部４ｂとを備えている。
【００２７】
テーブルユニット５は、２つの脚体２ａのうち右側の脚体２ａに対して接続されており、接続される右側の脚体２ａよりさらに椅子１の外側に設けられている。このようなテーブルユニット５は、張出部５ａと、接地部５ｂと、テーブル支持杆５ｃ（テーブル支持部）と、ヒンジ５ｄと、テーブル天板５ｅと、受フレーム５ｆとを備えている。
【００２８】
張出部５ａは、右側の脚体２ａの前脚２ａ２の下部（すなわち、右側の脚体２ａの下部）から脚体２ａの前方に張り出して設けられている。図４は、張出部５ａを含む図２の拡大図である。この図に示すように、張出部５ａは、第１湾曲部５ａ１と、第２湾曲部５ａ２とによって構成されている。第１湾曲部５ａ１は、接地部５ｂが設けられる部位であり、一端５ａ１１側が第２湾曲部５ａ２と一体的に接続され、他端５ａ１２側がテーブル支持杆５ｃの後述する前側起立部５ｃ１の下端と一体的に接続されている。この第１湾曲部５ａ１は、図４に示すように、前脚２ａ２から右側（すなわち椅子１の外側）に向けて延設されている。また、この第１湾曲部５ａ１は、第２湾曲部５ａ２と接続される一端５ａ１１側が第２湾曲部５ａ２に向けて椅子１の後方に湾曲され（図３参照）、前側起立部５ｃ１に接続される他端５ａ１２側が前側起立部５ｃ１に向けて上方に湾曲され（図４参照）、接地部５ｂが設けられる中央部５ａ１３が最も下方（最下方）にて左右方向に直線状に設けられている。すなわち、第１湾曲部５ａ１は、接地部５ｂが設けられると共に、接地部５ｂの設置位置を最下方として左右方向に湾曲して延設されている。また、第１湾曲部５ａ１は、図４に示すように、椅子１の正面側から見て、テーブルユニット５が接続される脚体２ａよりも椅子１の内側に膨出されてから外側に戻って第２湾曲部５ａ２と接続されている。第２湾曲部５ａ２は、第１湾曲部５ａ１に対して屈曲することなく連続的に接続されると共に第１湾曲部５ａ１と脚体２ａの前脚２ａ２とを接続している。  
【００２９】
接地部５ｂは、張出部５ａの中央部５ａ１３に設けられており、脚体２ａが床に接地されたときに、同様に下端が床に接地されるように、中央部５ａ１３から下方に突出して設けられている。このような接地部５ｂは、例えば樹脂によって形成されており、不図示のボルト等によって中央部５ａ１３に下方から締結されている。
【００３０】
テーブル支持杆５ｃは、下端が張出部５ａの第１湾曲部５ａ１と接続されると共に略鉛直方向に延設される前側起立部５ｃ１と、前側起立部５ｃ１の上端と一体的に接続されると共に水平かつ後方に延設される前後杆５ｃ２と、前後杆５ｃ２の後端と一体的に接続されると共に下方に延設されて後側連結杆２ｃと接続される後側起立部５ｃ３とを備えている。
【００３１】
前後杆５ｃ２は、前方寄りに屈曲部５ｃ４を有しており、屈曲部５ｃ４よりも前方が前側起立部５ｃ１から後方に向かうに連れて斜め外側に延設される前側傾斜部５ｃ５とされ、屈曲部５ｃ４よりも後方が屈曲部５ｃ４よりも後方に向かうに連れて椅子１の斜め内側に延設される後側傾斜部５ｃ６とされている。なお、図３に示すように、屈曲部５ｃ４は、下方から見て脚体２ａを避けるようにキャップ２ａ５の側方に設けられている。これによって、複数の椅子１を上下方向に重ねたときに、キャップ２ａ５と前後杆５ｃ２とが干渉することを防止できる。なお、屈曲部５ｃ４を設けずに、前後杆５ｃ２を前側傾斜部５ｃ５及び後側傾斜部５ｃ６のいずれかと同一に傾斜された直線状とすることもできるが、このような場合には、前後杆５ｃ２が側方に大きく張り出して椅子が大型化すると共にテーブル支持杆５ｃの強度が低下する。このため、上記屈曲部５ｃ４を設ける構成を採用することが好ましい。
【００３２】
ヒンジ５ｄは、前後杆５ｃ２の後側傾斜部５ｃ６に対して設けられており、テーブル天板５ｅを略前後方向を向く軸芯を中心として回動可能に支持する。テーブル天板５ｅは、天板面５ｅ１によって着座者が書き物等の作業を行う部位であり、テーブル支持杆５ｃによって座３の上方に支持されている。このテーブル天板５ｅは、ヒンジ５ｄによって、天板面５ｅ１を上方に向けた水平姿勢（図１（ａ）に示す姿勢）と、天板面５ｅ１を側方に向けた起立姿勢（図１（ｂ）に示す姿勢）との間で姿勢変更可能とされている。また、テーブル天板５ｅは、図３に示すように、前端５ｅ２が脚体２ａの前脚２ａ２よりも前方となる長さを有している。また、テーブル天板５ｅの幅は、テーブル天板５ｅが水平姿勢であるときに、着座者の腹部前方まで至るように設定されている。
【００３３】
受フレーム５ｆは、端部がテーブル支持杆５ｃに接続されかつ途中部位がテーブル支持杆５ｃの前後杆５ｃ２と略平行に設けられると共に、水平姿勢のテーブル天板５ｅを下方から支持する。このような受フレーム５ｆは、途中部位が前後杆５ｃ２と同一の高さに設定されており、水平姿勢のテーブル天板５ｅを下方から前後杆５ｃ２と共に支持する。
【００３４】
なお、本実施形態の椅子１においては、上述のテーブル支持杆５ｃと、ヒンジ５ｄと、受フレーム５ｆとによって、テーブル天板５ｅを回動可能に支持している。すなわち、本実施形態においては、本発明のテーブル支持部が、テーブル支持杆５ｃと、ヒンジ５ｄと、受フレーム５ｆとによって構成されている。
【００３５】
このように構成された本実施形態の椅子１は、座３の左右方向の幅よりも離間して配置される２つの後脚２ａ４を、先に載置された椅子１の背凭れ４の手前に座３を挟むように上方から載置することによって、図５に示すように先に載置された椅子１の上に積み重ねることができる。このとき、後から載置される椅子１の脚体２ａと先に載置された椅子１のテーブル天板５ｅとが干渉しないように、テーブル天板５ｅは起立姿勢とされる。
【００３６】
以上のような本実施形態の椅子１においては、左右一対の脚体２ａと、これらの脚体２ａに支持される座３と、脚体２ａに接続されるテーブルユニット５とを備える椅子１であって、テーブルユニット５が、右側の脚体２ａの下部からこの脚体２ａの前方に向けて張り出す張出部５ａと、張出部５ａに設けられると共に床に対して接地する接地部５ｂと、張出部５ａに固定されると共に座３の上部まで延設されるテーブル支持杆５ｃと、テーブル支持杆５ｃによって座３の上方にて支持されるテーブル天板５ｅとを備えている。
【００３７】
このような本実施形態の椅子１においては、テーブルユニット５の張出部５ａに対して、床と接地する接地部５ｂが設けられている。このようなこのような本実施形態の椅子１によれば、着座者がテーブル天板５ｅにおいて手を載置したり書き物を行ったりするときに、テーブル天板５ｅに作用する荷重が接地部５ｂを通じて床に伝達される。このため、テーブル天板５ｅを安定させることができる。
【００３８】
さらに、本実施形態の椅子１においては、上記接地部５ｂが、脚体２ａから前方に張り出した張出部５ａに設けられている。よって、張出部５ａを設けない場合と比較して床との接地箇所を前方に配置することができる。このため、大きな荷重が作用するテーブル天板５ｅの前端５ｅ２側に接地部５ｂが近づきテーブル天板５ｅが安定する。このような本実施形態の椅子１では、脚体２ａよりも前方に張り出した張出部５ａに接地部５ｂが設けられているため、テーブル天板５ｅをより安定させることが可能となる。
【００３９】
また、本実施形態の椅子１においては、張出部５ａが、接地部５ｂが設けられると共に、接地部５ｂの設置位置を最下方として左右方向に延設される第１湾曲部５ａ１と、第１湾曲部５ａ１に対して屈曲することなく連続的に接続されると共に第１湾曲部５ａ１と脚体２ａとを接続する第２湾曲部５ａ２とを備えている。このため、張出部５ａにおいて屈曲する部位を減少あるいは無くすことができ、張出部５ａの一部に局所的に大きな応力が作用することを防止することができる。
【００４０】
また、本実施形態の椅子１においては、第１湾曲部５ａ１が、椅子１の正面側から見て、テーブルユニット５が接続される脚体２ａよりも椅子１の内側に膨出されている。このため、椅子１の正面側から見た第１湾曲部５ａ１の水平方向の幅を大きく確保することができ、第１湾曲部５ａ１における湾曲領域の曲率半径を大きく取ることが可能となる。このため、第１湾曲部５ａ１のカーブが緩やかとなり、第１湾曲部５ａ１に対して局所的に大きな応力が作用することをより防止することができる。
【００４１】
また、本実施形態の椅子１においては、テーブル天板５ｅを支持するテーブル支持杆５ｃと、テーブル支持杆５ｃに設けられると共にテーブル天板５ｅを回動可能とするヒンジ５ｄと、端部がテーブル支持杆５ｃに接続されかつ途中部位がテーブル支持杆５ｃに沿って前後方向に延設されると共に、天板面５ｅ１が水平となる水平姿勢のテーブル天板５ｅを下方から支持する受フレーム５ｆを備えている。このため、テーブル天板５ｅが水平姿勢である場合に、テーブル支持杆５ｃと受フレーム５ｆの途中部位との左右方向に離間して配置される２つの箇所によって支持されることになる。したがって、テーブル天板５ｅをより安定させることが可能となる。
【００４２】
また、本実施形態の椅子１においては、脚体２ａが、椅子１の正面側から見て、座３よりも椅子１の外側に設けられる一対の後脚２ａ４及びこれらの後脚２ａ４よりも椅子１の内側に設けられる一対の前脚２ａ２を有し、テーブルユニット５が、椅子１の正面側から見て、脚体２ａよりも椅子１の外側に設けられ、前後方向に向く軸芯を中心としてテーブル天板５ｅが回動可能とされており、上方に他の椅子１を積み重ね可能とされている。このため、本実施形態の椅子１によれば、複数の椅子１を積み重ねることによってコンパクトに収容することが可能となる。
【００４３】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００４４】
例えば、上記実施形態においては、椅子１が上下方向に複数積み重ねることが可能な構成について説明した。しかしながら、本発明はこれに限定されるものではなく、上下方向に積み重ねることがない椅子に適用することも可能である。このような場合であっても、テーブルユニットが接地部を備えることによってテーブル天板を安定して支持することが可能となる。
【００４５】
また、上記実施形態においては、右利きの利用者を考慮して、テーブルユニット５が椅子１の右側に設けられた構成について説明した。しかしながら、左利きの利用者のために、テーブルユニット５を椅子１の左側に設ける構成を採用することも可能である。このような場合には、テーブルユニット５は、上記実施形態と左右対称な構成となる。
【００４６】
また、テーブル支持杆５ｃがテーブル天板５ｅの前縁５ｅ２の近傍を支持する構成を採用することも可能である。例えば、前側起立部５ｃ１を上端が下端よりも前方に位置するように傾斜させることでテーブル支持杆５ｃを前傾させ、この前傾されたテーブル支持杆５ｃによってテーブル天板５ｅの前縁５ｅ２の近傍を支持するようにしても良い。このような場合には、大きな荷重の作用しやすいテーブル天板５ｅの前縁５ｅ２側がテーブル支持杆５ｃによって支持されるため、よりテーブル天板５ｅを安定して支持することが可能となる。
【符号の説明】
【００４７】
１……椅子、２ａ……脚体、２ａ２……前脚、２ａ４……後脚、３……座、４……背凭れ、５……テーブルユニット、５ａ……張出部、５ａ１……第１湾曲部、５ａ２……第２湾曲部、５ｂ……接地部、５ｃ……テーブル支持杆、５ｄ……ヒンジ、５ｅ……テーブル天板、５ｆ……受フレーム
【図１】
0006436566.tif 000002
【図２】
0006436566.tif 000003
【図３】
0006436566.tif 000004
【図４】
0006436566.tif 000005
【図５】
0006436566.tif 000006